(57)【要約】      （修正有）【課題】ワイングラス等のグラスを迅速かつ確実に磨くことができるグラス磨きセットを提供する。【解決手段】グラス磨きセット１０は、グラス磨き用手袋１２と、グラス磨き本体１４と、グラス磨き用クロス１６と、から構成されている。グラス磨き用手袋はグラス磨きに適した素材からなるクロスを使用して縫製形成され、グラス磨き本体の第１クロス挟持体２０と第２クロス挟持体２２はスポンジを四角柱状にして形成され、プラスチックからなる略Ｕ字状のクロス挟持体連結把持部２６によって連結される。グラス磨き用クロスもグラス磨きに適したクロスで形成される。グラス磨き用クロスを二つ折りにして、クロス挟持体に差し込み、拡げたクロスをグラスの内側面に当接して、グラスを回せば、内側面と内側底面が磨かれる。グラスの側面をクロス挟持体の間に差し込み、周方向に移動させれば、グラスの内側面と外側面が同時に磨かれる。【選択図】図１
0003194945.tif 000002
【実用新案登録請求の範囲】
【請求項１】
グラス磨き用手袋と、グラス磨き本体と、グラス磨き用クロスと、を備えて成るグラス磨きセットであって、
クロスで形成された前記グラス磨き用手袋と、
第１クロス挟持体と、この第１クロス挟持体と並んで配設されて前記第１クロス挟持体と共に前記グラス磨き用クロスを挟むことが可能な第２クロス挟持体と、前記第１クロス挟持体と前記第２クロス挟持体を連結するクロス挟持体連結把持部と、から構成された前記グラス磨き本体と、
を有してなることを特徴とするグラス磨きセット。
【請求項２】
グラス磨き用手袋と、グラス磨き本体と、グラス磨き用クロスと、を備えて成るグラス磨きセットであって、
グラス磨きに適したクロスで形成された前記グラス磨き用手袋と、
弾性体で形成された角柱状の第１クロス挟持体と、この第１クロス挟持体と並んで配設されて前記第１クロス挟持体と共に前記グラス磨き用クロスを挟むことが可能な弾性体で形成された角柱状の第２クロス挟持体と、一端部が前記第１クロス挟持体と固定され他端部が前記第２クロス挟持体と固定されると共に可撓性部材で形成された略Ｕ字状のクロス挟持体連結把持部と、から構成された前記グラス磨き本体と、
を有してなることを特徴とするグラス磨きセット。
【請求項３】
前記第１クロス挟持体と前記第２クロス挟持体をスポンジで形成したことを特徴とする請求項１又は請求項２のいずれかに記載のグラス磨きセット。
【考案の詳細な説明】
【技術分野】
【０００１】
本考案は、ワイングラス等のグラスを磨く場合に使用されるグラス磨きセットに関し、詳しくは迅速にワイングラス等のグラスを磨くことができるグラス磨きセットに関する。
【背景技術】
【０００２】
ワイングラス等のグラスは水で洗浄して自然乾燥させると、グラスについた水滴が水垢になってグラスに薄くて小さな模様となって表れてしまい、グラスの外観品質が低下する。
そこで、ワインバーやレストラン等の飲食店等においては、使用後に水で洗浄したグラスを左右の手にそれぞれ持った専用クロスで磨くことにより水垢がつくのを防いでグラスを美しく保つようにしている。
しかし、ワイングラスのようなタイプのグラスは一般的にグラス本体の内側底面が深いため内側底面を磨き難く、これにより多くのワイングラスを磨く場合は時間がかかるという不具合がある。
また、従来のように左右の手にそれぞれ持った専用クロスでワイングラスを磨くとワイングラスを捻る方向に力が作用し易くなり、磨いている途中で脚が細長いワイングラスにおいては脚を折ってしまう場合がある。
【考案の概要】
【考案が解決しようとする課題】
【０００３】
本考案は、上記事実に鑑みなされたものであり、ワイングラス等のグラスを迅速かつ確実に磨くことができるグラス磨きセットを提供するものである。
【課題を解決するための手段】
【０００４】
請求項１の考案は、グラス磨き用手袋と、グラス磨き本体と、グラス磨き用クロスと、を備えて成るグラス磨きセットであって、
クロスで形成された前記グラス磨き用手袋と、
第１クロス挟持体と、この第１クロス挟持体と並んで配設されて前記第１クロス挟持体と共に前記グラス磨き用クロスを挟むことが可能な第２クロス挟持体と、前記第１クロス挟持体と前記第２クロス挟持体を連結するクロス挟持体連結把持部と、から構成された前記グラス磨き本体と、
を有してなることを特徴としている。
請求項２の考案は、グラス磨き用手袋と、グラス磨き本体と、グラス磨き用クロスと、を備えて成るグラス磨きセットであって、
グラス磨きに適したクロスで形成された前記グラス磨き用手袋と、
弾性体で形成された角柱状の第１クロス挟持体と、この第１クロス挟持体と並んで配設されて前記第１クロス挟持体と共に前記グラス磨き用クロスを挟むことが可能な弾性体で形成された角柱状の第２クロス挟持体と、一端部が前記第１クロス挟持体と固定され他端部が前記第２クロス挟持体と固定されると共に可撓性部材で形成された略Ｕ字状のクロス挟持体連結把持部と、から構成された前記グラス磨き本体と、
を有してなることを特徴としている。
請求項３の考案は、前記第１クロス挟持体と前記第２クロス挟持体をスポンジで形成したことを特徴としている。
【考案の効果】
【０００５】
本考案のグラス磨きセットは、グラスの内側底面を簡単に磨くことができるのでグラスを磨く時間を短縮することができるという優れた効果を有する。
本考案のグラス磨きセットは、ワイングラスを磨く場合にワイングラスを捻る方向に力が作用し難いので脚の細長いワイングラスを磨く場合に脚が折れ難いという優れた効果を有する。
本考案のグラス磨きセットは、磨いたグラスに掌や指が直接触れ難いため手の脂がグラスについてグラスが汚れるのを防止することができるという優れた効果を有する。
【図面の簡単な説明】
【０００６】
【図１】実施例のグラス磨きセットを構成するグラス磨き用手袋、グラス磨き本体、折り畳んだグラス磨き用クロスの正面図である。
【図２】実施例のグラス磨きセットを構成するグラス磨き本体の一部斜視図である。
【図３】実施例のグラス磨きセットを構成するグラス磨き本体にグラス磨き用クロスを取り付ける状態を示す概略図である。
【図４】実施例のグラス磨きセットを構成するグラス磨き本体にグラス磨き用クロスを取り付けた状態を示す概略図である。
【図５】実施例のグラス磨きセットのグラス磨き本体にグラス磨き用クロスを取り付けてワイングラスのグラス本体内側面を磨く状態を示す概略説明図である。
【図６】実施例のグラス磨きセットのグラス磨き本体にグラス磨き用クロスを取り付けてワイングラスのグラス本体側面を磨く状態を示す概略説明図である。
【考案を実施するための形態】
【０００７】
考案を実施するために最良の形態の例として以下のような実施例を示す。
【実施例１】
【０００８】
図１には本考案に係るグラス磨きセット１０の一実施例の全体図が示されている。
図１に示されるように、グラス磨きセット１０は、グラス磨き用手袋１２と、グラス磨き本体１４と、グラス磨き用クロス１６と、から構成されている。
【０００９】
前記グラス磨き用手袋１２はグラス磨きに適した公知の素材からなるクロスを使用して手袋状に縫製して形成されている。この実施例では前記クロスはポリエステル素材１００％のクロスを使用している。
【００１０】
図２に示されるように、前記グラス磨き本体１４の第１クロス挟持体２０は弾性体としてのスポンジを四角柱状にして形成されている。また、前記グラス磨き本体１４の第２クロス挟持体２２も弾性体としてのスポンジを四角柱状にして形成されている。
【００１１】
図１に示されるように、前記第１クロス挟持体２０と第２クロス挟持体２２は可撓性を有する合成樹脂材としてのプラスチックで形成された略Ｕ字状のクロス挟持体連結把持部２６によって並んだ状態で連結されている。
【００１２】
前記クロス挟持体連結把持部２６の一端部２６Ａは第１クロス挟持体２０に挿入されて第１クロス挟持体２０と固定されている。また、前記クロス挟持体連結把持部２６の他端部２６Ｂは第２クロス挟持体２２に挿入されて第２クロス挟持体２２と固定されている。
【００１３】
図１及び図２に示されるように、前記第１クロス挟持体２０と第２クロス挟持体２２は互いに当接した状態で並んで連結されている。
従って、図３及び図４に示されるように、前記第１クロス挟持体２０と第２クロス挟持体２２を少し開いて第１クロス挟持体２０と第２クロス挟持体２２の間に前記グラス磨き用クロス１６を挟むことができると共に挟んだグラス磨き用クロス１６を確実に保持することができるようになっている。
【００１４】
前記グラス磨き用クロス１６もグラス磨きに適した公知のクロスを矩形状にカットすることにより形成されている。この実施例では前記クロスは前記グラス磨き用手袋１２を形成するクロスと同様のポリエステル素材１００％のクロスを使用している。
【００１５】
なお、前記グラス磨き用手袋１２と、前記グラス磨き本体１４と、前記グラス磨き用クロス１６と、から構成されたグラス磨きセット１０は、一般に包装袋（図示せず）や包装容器（図示せず）に収容された状態で販売される。
【００１６】
次に、前記グラス磨きセット１０の作用をグラス磨きセット１０を使用してワイングラス１を磨く場合を例にして説明する。
なお、図５及び図６に示されるように、この実施例で使用するワイングラス１はグラス本体２と細長い脚３とベース４から構成されている。
【００１７】
最初に図３に示されるように、グラス磨き用クロス１６を二つ折りにして、二つ折りにしたグラス磨き用クロス１６の中間部１６Ａをグラス磨き本体１４の第１クロス挟持体２０と第２クロス挟持体２２に差し込んで挟む。
【００１８】
前記第１クロス挟持体２０と第２クロス挟持体２２はスポンジで形成されると共にクロス挟持体連結把持部２６は可撓性を有するプラスチックで形成されているので、図４に示されるように二つ折りにしたグラス磨き用クロス１６を第１クロス挟持体２０と第２クロス挟持体２２で挟むことができ、また、挟まれた二つ折りのグラス磨き用クロス１６を確実に挟持することができる。
【００１９】
なお、前記グラス磨き用クロス１６を第１クロス挟持体２０と第２クロス挟持体２２で挟むと図示しないが前記グラス磨き用クロス１６は前記第１クロス挟持体２０及び前記第２クロス挟持体２２を完全に覆う状態になると共に前記クロス挟持体連結把持部２６の大部分を覆う状態となる。
【００２０】
次に、一方の手にグラス磨き用手袋１２を装着する。
そして、他方の手で前記グラス磨き用クロス１６に覆われた前記クロス挟持体連結把持部２６を握って、図５に示されるように、グラス磨き用クロス１６を挟んだ第１クロス挟持体２０と第２クロス挟持体２２をワイングラス１のグラス本体２の内部に挿入する。
【００２１】
そして、グラス磨き本体１４をワイングラス１のグラス本体２の内側面に当接するように回すことにより、グラス磨き本体１４の第１クロス挟持体２０と第２クロス挟持体２２とで挟まれたグラス磨き用クロス１６がグラス本体２の内側面と内側底面を磨くので、グラス本体２の内側面と内側底面が綺麗に磨かれる。
【００２２】
次に、グラス本体２からグラス磨き本体１４を取り出して図６に示すようにグラス本体２の側面をグラス磨き本体１４の第１クロス挟持体２０と第２クロス挟持体２２の間に差し込み、グラス磨き本体１４をグラス本体２の周方向に移動させる。
これにより、グラス本体２の側面の内側面と外側面が同時に綺麗に磨かれる。
【００２３】
しかも、前記第１クロス挟持体２０と第２クロス挟持体２２はスポンジで形成されているので、グラス本体２を磨いている場合にグラス磨き本体１４に必要以上の力が加わっても第１クロス挟持体２０と第２クロス挟持体２２が緩衝材の働きをするのでグラス本体２に強い力が作用するのを防ぐことができる。
【００２４】
また、グラス磨き用手袋１２でワイングラス１のグラス本体２の外側底面、脚３、ベース４を拭くようにして磨くことにより、グラス本体２の外側底面、脚３、ベース４を磨くことができる。
【００２５】
これにより、グラス磨きセット１０を使用すればワイングラス１の全体を綺麗に磨き上げることができる。
【００２６】
従って、ワイングラス１のグラス本体２を磨く場合はグラス磨き用クロス１６を取り付けたグラス磨き本体１４でグラス本体２に挿入してグラス本体２を磨くことができるので、グラス本体２の側面及び内側底面を簡単かつ迅速に磨くことができる。
【００２７】
また、グラス磨きセット１０を使用すればワイングラス１を磨く場合にワイングラスに捻る方向に力がほとんど作用しないため、従来のようにワイングラス１を磨いている最中にワイングラス１の脚３を折ってしまう心配がなく安心してワイングラス１を磨くことができる。
【００２８】
この結果、グラス磨きセット１０を使用すれば従来のようにクロスだけでワイングラス１を磨く場合に比べて４倍から５倍の速さでワイングラス１を磨くことができる。
【００２９】
しかも、グラス磨きセット１０を使用することにより、ワイングラス１を磨く場合に掌や指等がワイングラス１に直接触れること抑え、手の脂がワイングラス１についてワイングラス１が汚れるのを防止できる。
【００３０】
従って、ワインバーやレストラン等のように１日に多数のワイングラス１を磨く必要がある飲食店等にとっては特に本考案のグラス磨きセット１０は極めて便利な商品である。
【００３１】
なお、実施例ではグラス磨き用手袋１２及びグラス磨き用クロス１６をケバのつきにくいポリエステル素材１００％のクロスで形成したが、グラス磨き用手袋１２及びグラス磨き用クロス１６を形成するクロスはポリエステル素材１００％のクロスに限定されるものでなく、グラス磨きに適した素材であれば他の素材でもよいことは勿論である。
【００３２】
なお、実施例ではグラス磨き用手袋１２を一つだけ示したが、グラス磨き用手袋１２は一対でもよいことは勿論である。
【００３３】
また、実施例でグラス磨きセット１０を使用してワイングラス１を磨いた手順は一例であり、グラス磨きセット１０を使用してワイングラス１を磨く手順は実施例の手順に限定されないことは勿論である。
【００３４】
また、実施例ではグラス磨きセットを使用してワイングラスを磨く場合を例にして説明したが、磨くグラスはワイングラスに限定されるものではなく、ワイングラス以外のグラスを磨くために使用してもよいことは勿論である。
【符号の説明】
【００３５】
１０    グラス磨きセット
１２    グラス磨き用手袋
１４    グラス磨き本体
１６    グラス磨き用クロス
２０    第１クロス挟持体
２２    第２クロス挟持体
２６    クロス挟持体連結把持部
２６Ａ  一端部
２６Ｂ  他端部
【図１】
0003194945.tif 000003
【図２】
0003194945.tif 000004
【図３】
0003194945.tif 000005
【図４】
0003194945.tif 000006
【図５】
0003194945.tif 000007
【図６】
0003194945.tif 000008